(57)【要約】      （修正有）【課題】商品が多い場所と少ない場所で照明の明るさを変えることで省エネを実現でき、さらに、商品在庫が少な場所を暗くすることにより、相対的に在庫の多い場所を目立たせ、商品アピールになる。【解決手段】商品を展示するショーケース、展示商品を照明する照明手段としての蛍光灯１９、２２、及び前記蛍光灯１９、２２の制御を行う照明制御手段としての制御装置２４を有するショーケースシステムにおいて、照度センサ２０を設け、前記照度センサ２０により得られる信号に基づき、前記制御装置２４がショーケースの蛍光灯１９、２２を制御する。【選択図】図２
2011254986.tif 000002
【特許請求の範囲】
【請求項１】
商品を展示するショーケース、展示商品を照明する照明手段、及び前記照明手段の制御を行う照明制御手段を有するショーケースシステムにおいて、
照度センサを設け、前記照度センサにより得られる信号に基づき、前記照明制御手段がショーケースの照明手段を制御することを特徴とするショーケースの照明制御システム。
【請求項２】
ショーケースは多段式オープンショーケースで、照度センサは、棚の奥側に設ける請求項１記載のショーケースの照明制御システム。
【請求項３】
照度センサは、ショーケース本体の断熱壁の内側でダクトを形成する仕切板に設ける請求項２記載のショーケースの照明制御システム。
【請求項４】
照明制御手段は、照明手段を調光する制御を行う請求項１ないし請求項３記載のショーケースの照明制御システム。
【発明の詳細な説明】
【技術分野】
【０００１】
本発明は、商品取出用の開口面を有する陳列室内に架設した棚上に商品を陳列するショーケースに関するものであって、特に、当該棚上やデッキパン上の照明制御システムに関するものである。
【背景技術】
【０００２】
従来この種のオープンショーケースで多段式オープンショーケース１は、下記特許文献１や特許文献２にも示されるが、図３に示すように断面略コ字状の断熱壁２と、この断熱壁２の両側に取り付けられた側板３とからなり、断熱壁２の内側には間隔を存して仕切板４を取り付け、この仕切板４と断熱壁２間をダクト６としている。
【特許文献１】実開昭５９−１０５９８５号公報
【０００３】
図３の例は前記ダクト６を更に仕切板１０で仕切り、冷却装置の冷却器１７を縦設した冷気ダクト６ａと保護気流ダクト６ｂとに区画し、断熱壁２の前面開口９の上縁にはハニカム盤１１ａ，１１ｂを設けて吹出口１２ａ，１２ｂを形成しており、この吹出口１２ａは冷気ダクト６ａに連通し、吹出口１２ｂは保護気流ダクト６ｂに連通し、開口９の下縁には吸込口１３を形成する。
【０００４】
仕切板４の下端前方には底板７を断熱壁２の底壁との間にダクト用の間隔を存して取り付けており、これら仕切板４及び底板７の内側を貯蔵室８としている。
【０００５】
一方、底板７下方には断熱壁２の底壁上にファンケース１４が設置されており、このファンケース１４には送風機１６を取り付けた。
【０００６】
更に、断熱壁２の底壁の下方は機械室２３となり、ここに冷却装置を構成する凝縮器や圧縮機、凝縮器用送風機等を設置している。
【０００７】
このようにして送風機１６を運転して冷却器１７と熱交換した冷気は冷気ダクト６ａ内を上昇し、吹出口１２ａより吸込口１３に向かって吐出され，開口９を閉塞する冷気エアーカーテンを形成する。
【０００８】
また、送風機１６から保護気流ダクト６ｂに送り込まれた空気は、吹出口１２ｂより吸込口１３に向かって吐出され、冷気エアーカーテンの保護気流である保護気流エアーカーテンを形成する。
【０００９】
そして、吸込口１３から吸い込まれた冷気および保護気流は再び送風機１６によって加速され、冷気エアーカーテンの一部が貯蔵室８内に循環されて、貯蔵室８は冷却される。
【００１０】
貯蔵室８内には上下に商品陳列用の複数段の棚１８・・を架設し、各棚１８の下面前部には展示商品を照明する照明手段として蛍光灯１９を取り付けている。蛍光灯１９は棚１８の下方に設けられる棚上や底板上照射光が向けられることになる。
【００１１】
一方、断熱壁２の開口９の上方で、吹出口１２ｂの前側にも蛍光灯２２を設け、これにより、下方の各棚上の商品５をより明るく照明していた。
【００１２】
前記蛍光灯２２は断熱壁２に取り付けられる反射板２１の内側に取り付けられる。詳細の図示は省略するが、この反射板２１は例えば白色に塗装された鋼板製のもので、蛍光灯１９の上方を略囲繞するようにも設けられ、複数箇所を屈曲されることにより、蛍光灯１９から発せられた光のうち上方に向かう光を下方に向けて反射させる。これにより、下方の各棚上の商品をより明るく照明できるようにしていた。
【００１３】
また、これ以外にも、照明装置としてＬＥＤ素子を複数備えたＬＥＤ照明装置を棚板の下面前部に取り付け、これにより、当該照明装置が設けられる下側の棚装置上を照明するショーケースが開発されている。
【発明の開示】
【発明が解決しようとする課題】
【００１４】
前記棚に設けられる照明装置では、棚の下方に設けられる棚上や底板上照射光が向けられることになるが、商品５が多い場所と少ない場所で明るさは均一であった。
【００１５】
このように当該棚上の商品５が多い場所と少ない場所でケースの明るさが均一であるのは無駄である。
【００１６】
さらに、当該棚に設けられる反射板２１を用いても、当該照明装置が設けられる棚の下方に設けられる棚上や底板上にしか照射光を向けることができないので、上前方から照射された光は、棚上の前部に陳列される商品によって遮られることとなり、棚の奥部に陳列される商品は、殆ど照明されないこともあるので、陳列室内全体を明るく照明することが要求され、前記商品５が少ない場所でも同じように照明するのではそのための消費電力も無駄が嵩む。
【００１７】
本発明の目的は前記従来例の不都合を解消し、商品が多い場所と少ない場所で照明の明るさを変えることで省エネを実現でき、さらに、商品在庫が少な場所を暗くすることにより、相対的に在庫の多い場所を目立たせ、商品アピールになるショーケースの照明制御システムを提供することにある。
【課題を解決するための手段】
【００１８】
前記目的を達成するため請求項１記載の本発明は、商品を展示するショーケース、展示商品を照明する照明手段、及び前記照明手段の制御を行う照明制御手段を有するショーケースシステムにおいて、照度センサを設け、前記照度センサにより得られる信号に基づき、前記照明制御手段がショーケースの照明手段を制御することを要旨とするものである。
【００１９】
請求項１記載の本発明によれば、照度センサを設け、これで各棚の照度を測定して、照度データを電気信号にし、その電気信号を照明制御手段に送り、照明手段を制御するので、商品の多い、少ないの状態に応じた適切な照明が可能である。
【００２０】
請求項２記載の本発明は、ショーケースは多段式オープンショーケースで、照度センサは、棚の奥側に設けることを要旨とするものである。
【００２１】
請求項２記載の本発明によれば、照度センサは、棚の奥側に設けることで、棚上の商品の多い少ないということを商品が照明を遮る程度によって的確に把握できる。
【００２２】
請求項３記載の本発明は、照度センサは、ショーケース本体の断熱壁の内側でダクトを形成する仕切板に設けることを要旨とするものである。
【００２３】
請求項３記載の本発明によれば、照度センサは、棚の奥側に設ける場合にショーケース本体の断熱壁の内側でダクトを形成する仕切板に設けることで、棚の最深部を位置づけ、さらに適切な高さを設定することが容易となる。
【００２４】
請求項４記載の本発明は、照明制御手段は、照明手段を調光する制御を行うことを要旨とするものである。
【００２５】
請求項４記載の本発明によれば、照明制御手段は、照明手段を調光する制御を行うことで、商品の多い、少ないの状態に応じて照明手段の光量を任意の量に設定することが可能であり、より適切な制御ができる。
【発明の効果】
【００２６】
以上述べたように本発明のショーケースの照明制御システムは、商品が多い場所と少ない場所で照明の明るさを変えることで省エネを実現でき、さらに、商品在庫が少ない場所を暗くすることにより、相対的に在庫の多い場所を目立たせ、商品アピールになるものである。
【発明を実施するための最良の形態】
【００２７】
以下、図面について本発明の実施形態を詳細に説明する。図１は本発明のショーケースの照明制御システムでの多段式オープンショーケースの縦断側面図、図２は本発明のショーケースの照明制御システムのブロック図で、多段式オープンショーケースの全体については前記従来例として図３について説明したものと同じである。
【００２８】
多段式オープンショーケース１は、断面略コ字状の断熱壁２と、この断熱壁２の両側に取り付けられた側板３とからなり、断熱壁２の内側には間隔を存して仕切板４を取り付け、この仕切板４と断熱壁２間をダクト６とする。
【００２９】
前記ダクト６を更に仕切板１０で仕切り、冷却装置の冷却器１７を縦設した冷気ダクト６ａと保護気流ダクト６ｂとに区画し、断熱壁２の前面開口９の上縁にはハニカム盤１１ａ，１１ｂを設けて吹出口１２ａ，１２ｂを形成しており、この吹出口１２ａは冷気ダクト６ａに連通し、吹出口１２ｂは保護気流ダクト６ｂに連通し、開口９の下縁には吸込口１３を形成する。
【００３０】
仕切板４の下端前方には底板７を断熱壁２の底壁との間にダクト用の間隔を存して取り付けており、これら仕切板４及び底板７の内側を貯蔵室８としている。
【００３１】
一方、底板７下方には断熱壁２の底壁上にファンケース１４が設置されており、このファンケース１４には送風機１６を取り付けた。
【００３２】
更に、断熱壁２の底壁の下方は機械室２３となり、ここに冷却装置を構成する凝縮器や圧縮機、凝縮器用送風機等を設置している。
【００３３】
貯蔵室８内には上下に商品陳列用の複数段の棚１８・・を架設し、各棚１８の下面前部には展示商品を照明する照明手段として蛍光灯１９を取り付けている。また、断熱壁２の開口９の上方で、吹出口１２ｂの前側にも蛍光灯２２を設けた。
【００３４】
前記蛍光灯２２は断熱壁２に取り付けられる反射板２１の内側に取り付けられる。この反射板２１は蛍光灯１９の上方を略囲繞するようにも設けられる。
【００３５】
このようにして送風機１６を運転して冷却器１７と熱交換した冷気は冷気ダクト６ａ内を上昇し、吹出口１２ａより吸込口１３に向かって吐出され、開口９を閉塞する冷気エアーカーテンを形成する。
【００３６】
また、送風機１６から保護気流ダクト６ｂに送り込まれた空気は、吹出口１２ｂより吸込口１３に向かって吐出され、冷気エアーカーテンの保護気流である保護気流エアーカーテンを形成する。
【００３７】
そして、吸込口１３から吸い込まれた冷気および保護気流は再び送風機１６によって加速され、冷気エアーカーテンの一部が貯蔵室８内に循環されて、貯蔵室８は冷却される。
【００３８】
本発明はこのような多段式オープンショーケース１の貯蔵室８内の商品陳列用の複数段の棚１８の奥側に照度センサ２０を設けた。
【００３９】
この照度センサ２０は、ショーケース本体の断熱壁２の内側でダクト６を形成する仕切板４の貯蔵室８側面の取り付けるものとする。
【００４０】
なお、照度センサ２０としては、光に照らされた面の単位面積当りの光束を測定する計器として、光のエネルギーによって固体中の電子が励起される現象、すなわち光電効果、光起電力効果、光伝導などを利用し、光のエネルギーを電気信号に変換して測定するものである。
【００４１】
図２に示すように、照度センサ２０の計測出力を照明制御手段としての制御装置２４に導入し、該制御装置２４で照明手段である蛍光灯１９もしくは蛍光灯２２の制御を行う。この制御はオン・オフ制御でもよいが、照明手段である蛍光灯１９もしくは蛍光灯２２の調光する制御である。
【００４２】
なお、照明手段として、蛍光灯１９もしくは蛍光灯２２に代えて、ＬＥＤ素子を複数備えたＬＥＤ照明装置を使用することも可能である。
【００４３】
このようにして、照度センサ２０により各棚１８の照度を測定して、照度データを電気信号にし、その電気信号を制御装置２４に送り、蛍光灯１９もしくは蛍光灯２２の照度を制御する。
【００４４】
例えば、棚１８に多くの商品５があり、棚上１８の前部に陳列される商品によって照明が遮られて照度が低い場合には、当該棚上１８の上に位置する蛍光灯１９の照明能力を高いものとし、一方、棚１８に商品５が少なく、照度が高い場合には、蛍光灯１９の照明能力を落とす。
【００４５】
このように、商品在庫が少な場所を暗くすることにより、相対的に在庫の多い場所を目立たせ、商品アピールすることができる。
【図面の簡単な説明】
【００４６】
【図１】本発明のショーケースの照明制御システムでの１実施形態を示す多段式オープンショーケースの縦断側面図である。
【図２】発明のショーケースの照明制御システムでの１実施形態を示ブロック図である。
【図３】従来例を示す多段式オープンショーケースの縦断側面図である。
【符号の説明】
【００４７】
１  オープンショーケース      ２  断熱壁
３  側板                      ４  仕切板
５  商品                      ６、６ａ、６ｂ  ダクト
７  底板                      ８  貯蔵室
９  開口                      １０  仕切板
１１ａ、１１ｂ  ハニカム盤    １２ａ、１２ｂ  吹出口
１３  吸込口                  １４  ファンケース
１５  整流板                  １６  送風機
１７  冷却器                  １８  棚
１９  蛍光灯                  ２０  照度センサ
２１  反射板                  ２２  蛍光灯
２３  機械室
２４  制御装置
【図１】
2011254986.tif 000003
【図２】
2011254986.tif 000004
【図３】
2011254986.tif 000005